(57)【要約】【課題】建物内に設置された換気ダクトへの接続作業が簡便になり、経済的に施行できるばかりでなく、充分な通気性を確保しつつ、高い防水・防雪性能及び排水性能を得ることができるダクト一体型換気ルーバを提供する【解決手段】複数の羽根板１ａが配されたガラリ部１を、建物の外壁を貫通する略縦筒状の通気ダクト２の屋外面の下端側に開口されたガラリ取付口２ｄに嵌装固定する。通気ダクト２の上部屋内面に、このガラリ部１よりも上位置に、建物内の換気ダクト３と接続される貫通口２ｃを設け、そのフランジ２ａと換気ダクト３のフランジ３ａとをボルト締結して接続できるようにする。【選択図】  図１
0003141032.tif 000002
【実用新案登録請求の範囲】
【請求項１】
建物の外壁を貫通する略縦筒状の通気ダクトの屋外面にガラリ部を配置し、このガラリ部よりも上位置の屋内面に、建物内に設置された換気ダクトとの接続口を設けたことを特徴とするダクト一体型換気ルーバ。
【請求項２】
通気ダクトの内部角隅に湾曲板を配したことを特徴とする請求項１記載のダクト一体型換気ルーバ。
【請求項３】
通気ダクトの立上がり面に水返し部を設けたことを特徴とする請求項１又は請求項２記載のダクト一体型換気ルーバ。
【考案の詳細な説明】
【技術分野】
【０００１】
本考案は、建物の開口部等に取り付けて通気を良好にし、且つ雨水の侵入を防ぐために使用される換気ルーバ、通称ガラリと呼ばれる建具に関し、とくに工場等の換気ダクトと直結が可能なダクト一体型換気ルーバに関するものである。
【背景技術】
【０００２】
従来、工場、発電所、体育館、倉庫、ビル、家屋等の建物の排気口などの開口部に取付けられる換気ルーバは、基本的には複数の羽根板を所定の枠体に横方向あるいは縦方向に格子状に並べた構成とされている。
【０００３】
ところで、例えば、工場等の空調設備において、建物外壁に換気ダクトに連結される開口部を設け、この開口部にガラリを取り付ける場合、建物内部と外部では、別種の工事となるため、異なる工事業者が共同で或いは別々に施行する必要があり、作業の煩雑化及び施行コストが嵩むといった問題があった。すなわち、壁面にガラリを取付ける者と、ガラリと換気ダクトの連結作業をする者が異なってしまうという課題があった。
【０００４】
そこで、グラスウール繊維等の吸音材を充填して成る通気ダクトがガラリの通気経路延長上に一体的に設けてなるもの（特許文献１参照。）。扉本体内を中空にし、その内部にセパレータを兼ねた補強材を配設し、この補強材によって扉本体内に形成されたダクトの各々の端部に位置するようにして扉表面と扉裏面の各々に正面ガラリ及び裏面ガラリを配設したガラリ扉（特許文献２参照。）。住宅の壁を貫通するダクト状の壁貫通部材と、住宅の外に取付けるボックス状の屋外部材とからなり、屋外部材に下面開口と下面開口より上位且つ背面で壁貫通部材に連結するダクト接続口を供えた住宅用吸気ガラリ（特許文献３参照。）。パネル体の一側からパネル体の内部に向けて空間を形成し、この空間にユニットに形成したガラリを収納したもの（特許文献４参照。）等が提案されている。
【０００５】
【特許文献１】特公平６−５２１３３号公報
【特許文献２】特開平８−２８１５３号公報
【特許文献３】実用新案登録第３０４９３８３号公報
【特許文献４】特開２００６−２９１５２５号公報
【考案の開示】
【考案が解決しようとする課題】
【０００６】
しかしながら、上記従来の装置においては、ガラリと換気ダクトとを接続するための別部材を要するばかりでなく、雨水や雪の浸入を確実に防止できる構造であるとは言いがたい。本考案は、建物内に設置された換気ダクトへの接続作業が簡便になり、経済的に施行できるばかりでなく、充分な通気性を確保しつつ、高い防水・防雪性能及び排水性能を得ることができるダクト一体型換気ルーバを提供することを目的とするものである。
【課題を解決するための手段】
【０００７】
そこで、本考案のダクト一体型換気ルーバは、建物の外壁を貫通する略縦筒状の通気ダクトの屋外面にガラリ部を配置し、このガラリ部よりも上位置の屋内面に、建物内に設置された換気ダクトとの接続口を設けたことを第１の特徴とする。また、通気ダクトの内部角隅に湾曲板を配したことを第２の特徴とする。さらに、通気ダクトの立上がり面に水返し部を設けたことを第３の特徴とする。
【考案の効果】
【０００８】
本考案によれば、以下の優れた効果がある。
（１）異なる工事業者が共同で或いは別々に施行する必要がなく、また、ガラリと屋内換気ダクトを接続するための部材が不要になるので、作業の煩雑化及び施行コストが削減できる。
（２）風洞の外部下面にガラリを配置し、このガラリよりも上位置の内部上面に、通気ダクトとの連結口を設けたので、雨水や雪の浸入を確実に防止できる。
（３）通気ダクトの内部角隅に湾曲板を配したことにより、流通する空気の圧力損失を低減することができ高い通気性が確保できる。
（４）通気ダクトの立上がり面に水返し部を設けたことにより、高い防水・防雪性能及び排水機能を得ることができる。
【考案を実施するための最良の形態】
【０００９】
以下、本考案の実施の形態を図面に示す実施例に基づいて説明する。図１は本考案に係るダクト一体型換気ルーバの一実施例を示す（ａ）は正面図、（ｂ）は側面図、図２は本考案に係るダクト一体型換気ルーバの要部側面断面図、図３は防水試験装置を示す正面図、図４は防水試験装置を示す一部断面側面図、図５及び図６は試験で用いたガラリの仕様を示す（ａ）は正面図、（ｂ）は横断面図である。
【実施例】
【００１０】
図１乃至図３において、１は、複数の羽根板１ａが配されたガラリ部で、建物の外壁を貫通する略縦筒状の通気ダクト２の屋外面の下端側に開口されたガラリ取付口２ｂに嵌装固定される。通気ダクト２の上部屋内面には、このガラリ部１よりも上位置に、建物内の換気ダクト３と接続される貫通口２ｃが設けられており、そのフランジ２ａと換気ダクト３のフランジ３ａとをボルト締結して接続できるようにされている。
【００１１】
また、通気ダクト２の内部の下部角隅には内向きに凹状にされた第１湾曲板４が、上部角隅にも内向きに凹状にされた第２湾曲板５が取付けられており、通気ダクト２内を流通する空気の圧力損失を低減することができるようにされている。さらに、通気ダクト２の立上がり面２ｄには、下方に向かって鋭角に屈曲して形成された第１屈折帯板６ａ及び第２屈曲帯板６ｂと水返し板６とからなる水返し部が設けられ、ガラリ部１を通過して侵入してきた雨水や雪を捕捉して流下することができるようにされている。
【００１２】
水返し板６は、立上がり面２ｄと若干の間隙Ｄ１をもって配置されており、この隙間Ｄ１は、水返し板６の上方に設けられた第１屈折帯板６ａで捕捉された雨水や雪が流下する流路を形成することになる。
【００１３】
図３乃至図６に示すように、ガラリ部１は、アルミサッシ製の固定枠１２に複数の横羽根板１ａ、１ａ…が一体的に連設された屋外面１４と、内側面１５とを備えており、通常は、この屋内面１５が室内に臨む状態で建物の開口部に固定枠１２ごと取り付けられる構成とされている。さらに、ガラリ部１の屋内面側には網体（ネット）１ｂが張設されている。ネット１ｂの網目度は６０メッシュ程度で、雪は捕捉するが、スムーズに通気できる網目サイズを用いるのが好ましい。このように、ガラリ部１の全面を覆う網体１ｂにより、より確実な防雪性能を得ることができる。
【００１４】
羽根板１ａ、１ａ…はアルミ製の板材からなり、下方に向かって傾斜した傾斜面１３が形成され、この傾斜面１３の下端には平板が垂設され、略く字形状をなしている。本実施例ではこの傾斜面１３は直線的に形成されているが、下方に湾曲した形状であってもよい。また、羽根板１ａ、１ａ…は、上下方向に一定間隔置きに配設されるので、上下方向に一定間隔置きに横長孔状の複数の間隙（通気路）１１、１１…が形成される。
【００１５】
すなわち、上記のように構成される羽根板１ａ、１ａ…を互いに平行に並べ、枠体１２内に固定する。その際、各羽根板１ａ、１ａ…は、隣接するもの同士の間において、その上下端がお互い重なり合うように位置させ、且つ、間隙（通気路）１１が形成されるように並設する。
【００１６】
また、最下端の羽根板１ａには前方に延出してスカート部１ｃが設けられており、雨水が内部に吹き込まないようにされている。このように、ルーバ１の下端部前面を覆うスカート部１ｃにより、下方から巻き上がる雨水や雪に対する確実な防水及び防雪性能を得ることができる。
【００１７】
［試験例］
図７及び図８に示す試験装置を用いて本考案に係る換気ルーバの防水試験を行った。結果を表１に示す。
試験装置は、前面に窓口７ａを開口した防水試験用風洞７を架台８に載置して固定ボルト１０で締結固定し、ダクト部２の貫通口２ｃを風洞７の窓口７ａにパッキング９を介して気密状態に固定し連通した。
試験装置の各寸法は次のとおりである。尚、ガラリ部としては、図３及び図４に示す１枚羽根ガラリと図５及び図６に示す２枚羽根ガラリを用いた。
風洞の横幅：Ｗ２＝１８００ｍｍ
風洞の高さ：Ｈ１＝２１７０ｍｍ
風洞の奥行：Ｌ４＝３６００
開口部の幅：Ｗ１＝５００ｍｍ
開口部から排気口までの距離：Ｌ１＝１０００ｍｍ
開口部の縦寸法：Ｌ２＝５００ｍｍ
排気口の縦寸法：Ｌ３＝５１０ｍｍ
架台から排気口の中心までの高さ：Ｈ２＝１１６０ｍｍ
【００１８】
水量：４リットル／分×１０分＝４０リットルを風速１０ｍ／ｓ〜３４／ｓで噴霧して、ダクトの間取り寸法Ｄ２を１００ｍｍと３００ｍｍに変化させ、防水試験を行った。結果を表１に示す。
【００１９】
【表１】
0003141032.tif 000003
【００２０】
表１から明らかなように、本考案に係るダクト一体型換気ルーバは、各条件下において、ほぼ確実な防水効果が発揮された。
【図面の簡単な説明】
【００２１】
【図１】本考案に係るダクト一体型換気ルーバの一実施例を示す（ａ）は正面図、（ｂ）は側面図である。
【図２】本考案に係るダクト一体型換気ルーバの要部側面断面図である。
【図３】防水試験で用いたガラリの仕様を示す正面図である。
【図４】図３の要部拡大断面図である。
【図５】防止試験で用いたガラリの仕様を示す正面図である。
【図６】図５の要部拡大断面図である。
【図７】防水試験装置を示す正面図である。
【図８】防水試験装置を示す一部断面側面図である。
【符号の説明】
【００２２】
１    ガラリ部
１ａ  羽根板
１ｂ  防虫網
１ｃ  スカート部
２    ダクト部
２ａ  フランジ
２ｂ  ガラリ取付口
２ｃ  貫通口
２ｄ  立上り面
３    換気ダクト接続口
３    換気ダクト
４    第１湾曲板
５    第２湾曲板
６    水返し板
６ａ  第１屈折帯板
６ｂ  第２屈折帯板
７    防水試験用風洞
７ａ  窓口
８    架台
９    パッキング
１０  固定ボルト
１１  羽根板の間隙（通気路）
１２  固定枠
１３  羽根板の傾斜面
１４  ガラリ部の屋外面
１５  ガラリ部の屋内面
【図１】
0003141032.tif 000004
【図２】
0003141032.tif 000005
【図３】
0003141032.tif 000006
【図４】
0003141032.tif 000007
【図５】
0003141032.tif 000008
【図６】
0003141032.tif 000009
【図７】
0003141032.tif 000010
【図８】
0003141032.tif 000011